(57)【要約】【課題】遊技機の裏面側における空気温度が上昇するのを抑制し、遊技機の前面側における空気を清浄化することが可能な遊技機及び島ユニットの提供を技術的課題とする。【解決手段】遊技機本体１ａと、その前面側の空間と裏面側の空間とを連通する空気通路３２、ファン３３、ファン３３を正転又は逆転させるモータ３４、操作ハンドル８に遊技者による所定の操作が加えられたことを検知するハンドル操作検知手段３６及び検出電極８ａ、ハンドル操作検知手段３６及び８ａの検知結果に基づいてファン３３を正転又は逆転させるファン制御手段３７を備えている。操作ハンドル８に遊技者による所定の操作が加えられたとき、ファン３３が正転されて、遊技機本体１ａの前面側の空気が裏面側に供給され、操作ハンドル８に遊技者による所定の操作が加えられないとき、ファン３３が逆転されて、裏面側の空気が前面側に供給される。【選択図】図２
2006247028.tif 000002
【特許請求の範囲】
【請求項１】
遊技機本体と、
前記遊技機本体における前面側の空間と裏面側の空間とを連通する空気通路と、
前記空気通路に設けられたファンと、
前記ファンを正転又は逆転させるモータと、
前記遊技機本体の操作ハンドルに遊技者による所定の操作が加えられたことを検知するハンドル操作検知手段と、
前記ハンドル操作検知手段の検知結果に基づいて前記ファンを正転又は逆転させるファン制御手段と、を備え、
前記操作ハンドルに遊技者による所定の操作が加えられたときに、前記ファンが正転されて、前記遊技機本体の前面側の空間における空気が、前記空気通路を介して前記遊技機本体の裏面側の空間に供給され、
前記操作ハンドルに遊技者による所定の操作が加えられないときに、前記ファンが逆転されて、前記遊技本体の裏面側の空間における空気が、前記空気通路を介して前記遊技機本体の前面側における空間に供給されることを特徴とする空気循環装置を有する遊技機。
【請求項２】
請求項１に記載の空気循環装置を有する遊技機を複数備えたことを特徴とする遊技場の島ユニット。
【発明の詳細な説明】
【技術分野】
【０００１】
本発明は、空気循環装置を有する遊技機、及びこれを用いた遊技場の島ユニットに関する。
【背景技術】
【０００２】
例えばパチンコホールには、島ユニットと呼ばれる遊技設備が複数列設けられているのが普通である。島ユニットとは、周知のように通路の両側又は片側に複数のパチンコ機等の遊技機が横１列に並んだエリアをいう。
【０００３】
この島ユニットにおいては、パチンコ機の上端とパチンコホールの天井間に仕切り壁が設けられている。これにより、パチンコ機の前面側の空間が、その端部を除いて封鎖された空間として形成されている。また、パチンコ機の裏面側の空間は、前面側の空間に対して略完全に分離されている。
【特許文献１】特開２００２−２８２４９２号公報
【発明の開示】
【発明が解決しようとする課題】
【０００４】
しかしながら、従来は上記のようにパチンコ機の前面側における空間が、その端部を除いて封鎖されているので、パチンコ機の裏面側に設けられているＩＣなどの発熱部品からの発熱により、パチンコ機の裏面側の空気温度が上昇してパチンコ機の裏面側の部品に悪影響を与え、場合によっては、パチンコ機の部品が故障するおそれがあった。
【０００５】
一方、パチンコ機の前面側の空間内で遊技者が喫煙すると、煙草の煙が周囲に拡散し、この煙が前面側の空間内に籠もってしまうという問題があった。
【０００６】
このような問題は、パチンコ機に限らず、スロットマシンなど各種の遊技機、及びこれらの遊技機が並べられた島ユニットに同様に発生する問題である。
【０００７】
本発明は、このような問題に鑑みなされたもので、遊技機の裏面側における空気温度が上昇するのを抑制して、裏面側に設けられた各部品の故障を防止できると共に、遊技機の前面側における空気を清浄化することが可能な空気循環装置を有する遊技機、及びこれを用いた遊技場の島ユニットの提供を技術的課題とする。
【課題を解決するための手段】
【０００８】
本発明は、前記課題を解決するため、以下の手段を採用した。
（１）すなわち、本発明の空気循環装置を有する遊技機は、
遊技機本体と、
前記遊技機本体における前面側の空間と裏面側の空間とを連通する空気通路と、
前記空気通路に設けられたファンと、
前記ファンを正転又は逆転させるモータと、
前記遊技機本体の操作ハンドルに遊技者による所定の操作が加えられたことを検知するハンドル操作検知手段と、
前記ハンドル操作検知手段の検知結果に基づいて前記ファンを正転又は逆転させるファン制御手段とを備え、
前記操作ハンドルに遊技者による所定の操作が加えられたときに、前記ファンが正転して、前記遊技機本体の前面側の空間における空気が、前記空気通路を介して前記遊技機本体の裏面側の空間に供給され、
前記操作ハンドルに遊技者による所定の操作が加えられないときに、前記ファンが逆転して、前記遊技本体の裏面側の空間における空気が、前記空気通路を介して前記遊技機本体の前面側における空間に供給されることを特徴とする。
【０００９】
遊技機本体の裏面側の空間は、島ユニットに設置された複数の遊技機により連続している。そのため、ある遊技機の操作ハンドルが遊技者によって操作されていないとき、すなわちある遊技機本体が作動停止中であっても、作動中の遊技機が他にあればその発熱によって裏面側の空気が加熱される。従って、そのままでは裏面側の空気温度が上昇して、遊技機本体の裏面側における各部品に悪影響を与えるおそれがある。
【００１０】
本発明では、ある遊技機が作動停止中の場合には、その裏面側の空気が遊技機本体の空気通路に設けられたファンによって前面側に供給されるので、作動中の他の遊技機によって裏面側の空気が加熱されても、裏面側の空気温度が上昇するのを防止できる。従って、遊技機本体の裏面側における各部品が裏面側の空気で加熱されるのを防止できる。
【００１１】
また、遊技機本体の操作ハンドルが遊技者によって操作されているとき、すなわち、遊技機が作動中には、その前面側の空気が遊技機本体の空気通路に設けられたファンによって裏面側に供給されるので、遊技機の前面側の空気に含まれる煙や塵埃などが裏面側に排出される。
【００１２】
ここで、前記ファンは、前記遊技機本体の前面側に設けるのが望ましい。また、前記所定の操作としては、遊技者が前記操作ハンドルに接触する操作、又は遊技者が前記操作ハンドルを回転させる操作がある。前記遊技機本体としては、パチンコ機又はスロットマシンを例示できる。
【００１３】
（２）また、本発明の遊技場の島ユニットは、上記（１）に記載の空気循環装置を有する遊技機を複数備えたことを特徴とする。
【００１４】
本発明では、島ユニットにおける遊技機の裏面側の空気温度が上昇するのを抑制できると共に、遊技機の前面側における空気に含まれる煙や塵埃を裏面側に排出できる。
【発明の効果】
【００１５】
以上説明したように、本発明によれば、遊技者が遊技機本体の操作ハンドルを操作してないとき、すなわち遊技者が遊技していない時には、遊技機の裏面側における空気が前面側に供給されるので、他の遊技機が作動中であっても、裏面側の空気温度が上昇するのを抑制できる。これにより、遊技機の裏面側の各部品が裏面側の空気で加熱されて故障するのを防止できる。
【００１６】
また、遊技者が遊技機本体の操作ハンドルを操作しているとき、すなわち、遊技者が遊技している時には、遊技機の前面側の空気に含まれる煙や塵埃などが遊技機の裏面側に排出されるので、遊技機の前面側の空気を清浄化できる。
【発明を実施するための最良の形態】
【００１７】
以下、本発明の実施の形態を添付した図１から図７に基づいて説明する。本実施の形態では、本発明を風営適正化法（風俗営業等の規則及び業務の適正化等に関する法律）の内規上「第１種」に区分されるパチンコ遊技機に適用した場合について説明するが、本発明はスロットマシンなどパチンコ遊技機以外の各種の遊技機に適用できる。
【００１８】
図１は、本発明に係る実施形態のパチンコホールに設けられた島ユニット５０を示す。この島ユニット５０には、複数のパチンコ機（遊技機）１が横１列に配置されている。各
パチンコ機１と天井５３との間には、共通の仕切り部材５１が設けられている。また、各パチンコ機１は、床５２に設けられた共通の台１３の上に設置されている。
【００１９】
図２に示すように、島ユニット５０における複数のパチンコ機１における前面側の空間Ａ１と裏面側の空間Ａ２は、略完全に分離されている。なお、パチンコ機１の前面側の空間Ａ１と裏面側の空間Ａ２とは、島ユニット５０の一方又は両方の端部で共通の空間に開放されている。
【００２０】
次に、このパチンコ機１について図３から図７を参照して説明する。このパチンコ機１は、従来と同様な構成を有しているので、ここでは簡単に説明する。
【００２１】
このパチンコ機１は、図３に示すように、遊技機本体１ａを有している。この遊技機本体１ａは、上記島ユニット５０に固定される外枠３と、この外枠３に一側を保持され且つ外枠３に対して開閉自在に設けられた表枠４と、この表枠４の前面上部に開閉自在に設けられた窓枠５と、前面下部に開閉自在に設けられた受皿付き下扉３１とを備えている。また、パチンコ機１の主要構成部品は、表枠４に集約して取り付けられている。
【００２２】
表枠４に設けられる主要構成部品としては、盤面に遊技領域が形成された遊技盤６、パチンコ機１に供給すべきパチンコ玉（遊技球、図示せず）及びパチンコ機１より払い出されるパチンコ玉を一時貯留する受皿２、この受皿２に貯留されたパチンコ玉を遊技盤６の上部に打ち出すための発射駆動装置７、この発射駆動装置７を操作するための操作ハンドル８などを例示できる。操作ハンドル８の開度操作によって、パチンコ玉の打力調節が可能である。
【００２３】
更に、表枠４に設けられる構成部品としては、必要に応じて所定個数のパチンコ玉を受皿２内に払い出す遊技球払出装置、遊技に係る主たる制御を処理すると共に、各種装置を制御する主制御装置（いずれも図示せず）等を例示できる。
【００２４】
窓枠５には、透視窓９、装飾ＬＥＤ１０、装飾ランプ１１、スピーカ１２が設けられている。また、受皿付き下扉３１には、ＣＲユニット（図示せず）に通じる遊技球借入口２ａ、灰皿２０、発射停止ボタン２１等が設けられている。
【００２５】
上記遊技盤６は、図4に示すように、略正方形状をなす合板からなり、表枠４の上部に形成された遊技盤収納枠の空間（図示せず）に収納固定されている。また、遊技盤６の前面には、打ち出されたパチンコ玉の進路を規制するガイドレール１３ａ及び遊技球規制レール１３ｂが設けられ、これらのガイドレール１３ａ及び遊技球規制レール１３ｂで囲まれた領域によって遊技領域が構成されている。
【００２６】
上記の遊技領域には、遊技くぎや風車等などの障害物１４、パチンコ玉の進入し得る入賞口が形成された各種入賞装置２５〜２８、入賞に至らなかったパチンコ玉を遊技領域の外部に供給するアウト口１５、演出を踏まえた種々の図柄を表示する可変表示装置１００などが設けられている。
【００２７】
上記可変表示装置１００の上部側には、普通図柄表示装置（ＬＥＤ表示装置）１８、通過保留数表示ランプ１６、特定保留数表示ランプ１９等が設けられている。可変表示装置１００の両側には、スルーチャッカ４９が設けられいてる。
【００２８】
更に、このパチンコ機１には、図２に示すように、遊技者が操作ハンドル８に触れているときに遊技機１における前面側の空気を裏面側に供給し、遊技者が操作ハンドル８に触れていないときに裏面側の空気を前面側に供給する空気循環装置３０が設けられている。
【００２９】
この空気循環装置３０は、パチンコ機１の遊技機本体１ａにおける前面側の空間Ａ１と裏面側の空間Ａ２とを連通する空気通路３２と、この空気通路３２内に設けられたファン３３と、このファン３３を正転又は逆転させるモータ３４と、上記操作ハンドル８に遊技者が触れたことを検知するハンドル操作検知手段としてのタッチセンサ３６と、このタッチセンサ３６の検知結果に基づいてモータ３４を制御して、ファン３３を正転又は逆転させるファン制御手段３７とを備えている。
【００３０】
上記のタッチセンサ３６は、ファン制御手段３７に電気的に接続されている。一方、操作ハンドル８の表面には、例えばクロームメッキなどの検出電極８ａが設けられている。この検出電極８ａは、タッチセンサ３６に接続されている。そして、遊技者が操作ハンドル８に触れると、これが検出電極８ａを介してタッチセンサ３６によって検出される。なお、タッチセンサ３６は一般的なタッチセンサを使用できるので、その詳細な説明は省略する。
【００３１】
上記ファン制御手段３７は、タッチセンサ３６の検出結果に基づいて、モータ３４を晴天又は逆転させる。このファン制御手段３７は、パチンコ機１の主たる制御を行う主制御装置３５に設けられている。なお、主制御装置３５は、一般的なパチンコ機１の主制御装置と同様であり、ファン制御手段３７も一般的な制御装置を使用できるので、その詳細な説明は省略する。
【００３２】
上記ファン３３は、空気通路３２内におけるパチンコ機１の前面側に配置されている。また、モータ３４は、ファン３３よりパチンコ機１の裏面側寄りに配置されている。空気通路３２の前端には、樹脂製又は金属製のカバー３８が設けられている。
【００３３】
このカバー３８は、図５に示すように、平板部３９及び複数の庇部４０を有している。平板部３９には、図６に示すように、長方形の横長孔４１が上下に適宜な間隔で複数設けられている。
【００３４】
図５に示すように、上記庇部４０は、水平辺部４０ａと垂直辺部４０ｂによって逆Ｌ字状に形成されている。この庇部４０の水平辺部４０ａは横長孔４１の上側に固定され、垂直辺部４０ｂは平板部３９との間に隙間を空けて、横長孔４１の前方を塞ぐように配置されている。これによって、横長孔４１から針金などの異物が挿入されるのを防止できる。
【００３５】
図２に示すように、空気通路３２におけるカバー３８とファン３３との間、及び空気通路３２の後端部には、空気通路３２の全断面に亘って金属製のメッシュ部材４３，４４が設けられている。これらのメッシュ部材４３，４４には、図７に示すように、多数の孔４３ａ，４４ａが設けられている。
【００３６】
これらの孔４３ａ，４４ａは、針金などが挿入できない程度の大きさである。これにより、パチンコ機１の前面側からカバー３８の横長孔４１及びメッシュ部材４３を通して、又はパチンコ機１の裏面側からメッシュ部材４４を通して、空気通路３２内に針金などが挿入されるのを防止できる。
【００３７】
更に、図７に示すように、カバー３８の横長孔４１と、前面側のメッシュ部材４３における孔４３ａと、裏面側のメッシュ部材４４における孔４４ａとが、一直線上に並ばないように配置されている。これにより、パチンコ機１の前面側から裏面側に針金などが挿入されるのを防止できる。
【００３８】
次に、このパチンコ機１における作用を、図８のフローチャートを参照して説明する。
まず、操作ハンドル８に遊技者が触れているか否かが判断される（Ｓ１）。ここで、操作ハンドル８に遊技者が触れていると判断された場合は、次に、パチンコ玉が発射されているか否かが判断される（Ｓ２）。パチンコ玉が発射されているか否かの判断は、操作ハンドル８の回転量を検出する方法などによって可能である。
【００３９】
パチンコ玉が発射されていると判断された場合は、次に、ファン３３が正転され、パチンコ機１の前面側における空気が、空気通路３２を通って裏面側に供給される。
【００４０】
これにより、パチンコ機１の前面側における空気に含まれる煙草の煙や塵埃などが、裏面側に排出され、遊技者のいるパチンコ機１の前面側における空気が清浄化される。
【００４１】
また、ステップ１（Ｓ１）で、遊技者が操作ハンドル８に触れていないと判断された場合は、次にファン３３が逆転され、パチンコ機１の裏面側における空気が、前面側に供給される（Ｓ４）。
【００４２】
上記のように、パチンコ機１の裏面側における空間Ａ２（図２参照）は、その端部を除いて前面側における空間Ａ１と略完全に分離されている。また、パチンコ機１の裏面側には、ＩＣなどの発熱部品（図示せず）が多く設けられている。
【００４３】
このため、パチンコ機１が作動している場合には、パチンコ機１の裏面側における空気が加熱されて温度が高くなる。これに対して、パチンコ機１の前面側における空気温度は比較的低く保持されている。
【００４４】
このような状態で、上記のようにファン３３が逆転されて、パチンコ機１の裏面側における空気が前面側に供給されると、裏面側の温度の高い空気が前面側に送られるため、裏面側の空気温度が上昇するのを抑制できる。
【００４５】
これにより、パチンコ機１の裏面側に設けられた部品が温度上昇するのを抑制できるので、これらの部品が加熱によって損傷するのを防止できる。
【００４６】
なお、上記の実施形態では、遊技者が操作ハンドル８に触れ、且つパチンコ玉が発射されている場合に、ファン３３が正転してパチンコ機１の前面側の空気が裏面側に供給されるが、パチンコ玉の発射状態にかかわらず、遊技者が操作ハンドル８に触れたときに、ファン３３が正転するようにできる。
【図面の簡単な説明】
【００４７】
【図１】本発明に係る島ユニットを示す正面図である。
【図２】本発明に係るパチンコ機の側面を示す一部断面図であり、空気循環装置を示す図である。
【図３】本発明に係るパチンコ機を示す斜視図である。
【図４】本発明に係るパチンコ機の遊技盤を示す図である。
【図５】本発明に係る空気循環装置のカバーを示す断面図である。
【図６】本発明に係る空気循環装置のカバーを示す正面であり、図５のＡ矢視図である。
【図７】本発明に係る空気循環装置のカバー及びメッシュ部材の配置を示す断面図である。
【図８】本発明に係るパチンコ機の作用を示すフローチャートである。
【符号の説明】
【００４８】
１  パチンコ機
１ａ  遊技機本体
２  受皿
２ａ  遊技球借入口
３  外枠
４  表枠
５  窓枠
６  遊技盤
７  発射駆動装置
８  操作ハンドル
８ａ  検出電極
９  透視窓
１０  装飾ＬＥＤ
１１  装飾ランプ
１２  スピーカ
１３  台
１３ａ  ガイドレール
１３ｂ  遊技球規制レール
１４  障害物
１５  アウト口
１６  通過保留数表示ランプ
１９  特定保留数表示ランプ
２０  灰皿
２１  発射停止ボタン
２５〜２８  各種入賞装置
３０  空気循環装置
３１  受け皿付き下扉
３２  空気通路
３３  ファン
３４  モータ
３５  主制御装置
３６  タッチセンサ（ハンドル操作検知手段）
３７  ファン制御手段
３８  カバー
３９  平板部
４０  庇部
４０ａ  水平辺部
４０ｂ  垂直辺部
４１  横長孔
４３，４４  メッシュ部材
４３ａ，４４ａ  孔
４９  スルーチャッカ
５１  仕切部材
５２  床
５３  天井
１００  可変表示装置
【図２】
2006247028.tif 000003
【図３】
2006247028.tif 000004
【図４】
2006247028.tif 000005
【図５】
2006247028.tif 000006
【図６】
2006247028.tif 000007
【図７】
2006247028.tif 000008
【図８】
2006247028.tif 000009
【図１】
2006247028.tif 000010